(57)【要約】【課題】キャラクター同士やキャラクターと吹き出しなど、同種又は異種のパーツを組み合わせ自在にした玩具を提供する。【解決手段】人物や動物などのキャラクターを模した形状に形成され、又はキャラクター１１が描かれた平板状の本体プレート１０と、本体プレート１０に設けられ、紐やチェーンなどの吊り下げ具を装着する孔１３又は切り込みからなる吊り下げ部１２と、本体プレート１０の外周の一部に一又は二以上の嵌合突起３１又は／及び嵌合凹部４１を形成した連結部３０と、を有する。【選択図】図１
0003218396.tif 000002
【実用新案登録請求の範囲】
【請求項１】
人物や動物などのキャラクターを模した形状に形成され、又は／及び前記キャラクターが描かれた平板状の本体プレートと、
前記本体プレートに設けられ、紐やチェーンなどの吊り下げ具を取り付ける孔又は切り込みからなる吊り下げ部と、
前記本体プレートの外周の一部に一又は二以上の嵌合突起又は／及び嵌合凹部を形成した連結部と、
を有する玩具。
【請求項２】
一又は二以上の嵌合凹部又は／及び嵌合突起が形成されて前記本体プレートの連結部に対して着脱自在な被連結部を備え、吹き出しを模した形状に形成されて台詞を表示した平板状の連結プレートを有する請求項１に記載の玩具。
【請求項３】
前記本体プレートの外周の一部に一又は二以上の嵌合凹部又は／及び嵌合突起が形成され、他の本体プレートの連結部に対して着脱自在な被連結部を備えた請求項１又は２に記載の玩具。
【請求項４】
前記連結部には所定間隔で三個の嵌合突起が形成され、前記被連結部には所定間隔で三個の嵌合凹部が形成された請求項２又は３に記載の玩具。
【請求項５】
前記嵌合突起は、断面円形状の頭部と、該頭部の幅より狭い幅に形成した首部とから構成され、前記嵌合凹部の開口部は、前記首部の幅より広く、前記頭部の幅より狭い幅に形成された請求項１乃至４の何れか一項に記載の玩具。
【考案の詳細な説明】
【技術分野】
【０００１】
本考案は、各種パーツを組み合わせ自在にした玩具に関し、特に、キーチェーンやストラップに取り付けるのに適した玩具に関する。
【背景技術】
【０００２】
近年、アニメの人気キャラクターをキーチェーンやストラップなどの吊り下げ具に取り付けたキャラクター関連商品が多く開発されている。これらのキャラクター関連商品は、吊り下げ具に取り付けられたキャラクターが固定されたものであった。
【０００３】
また、吊り下げ具に取り付けられるマスコットを連結可能にしたマスコット玩具としては、マスコットが手足を有する人形や動物などの形態をなし、互いを連結するために可撓性を有するとともに先端部が接近するように湾曲して形成された左右の腕部で構成された連結部を有する玩具が知られている（特許文献１参照）。
【先行技術文献】
【特許文献】
【０００４】
【特許文献１】登録実用新案第３０８５４７１号公報
【考案の概要】
【考案が解決しようとする課題】
【０００５】
しかし、特許文献１に記載のマスコット玩具は、連結対象が人形や動物などの形態をなすマスコットであって、左右の腕部の先端部が接近するように湾曲して形成された同形状のマスコットに限られるのみならず、外力が加わると外れやすいという課題があった。
【０００６】
そこで、本考案は、キャラクター同士やキャラクターと吹き出しなど、同種又は異種のパーツを組み合わせ自在にした玩具を提供するものである。
【課題を解決するための手段】
【０００７】
本考案は、上記課題を解決するために、人物や動物などのキャラクターを模した形状に形成され、又は／及び前記キャラクターが描かれた平板状の本体プレートと、前記本体プレートに設けられ、紐やチェーンなどの吊り下げ具を取り付ける孔又は切り込みからなる吊り下げ部と、前記本体プレートの外周の一部に一又は二以上の嵌合突起又は／及び嵌合凹部を形成した連結部と、を有する玩具を提供するものである。
【０００８】
また、本考案の玩具は、一又は二以上の嵌合凹部又は／及び嵌合突起が形成されて前記本体プレートの連結部に対して着脱自在な被連結部を備え、吹き出しを模した形状に形成されて台詞を表示した平板状の連結プレートを有する。
【０００９】
また、本考案の玩具は、前記本体プレートの外周の一部に一又は二以上の嵌合凹部又は／及び嵌合突起が形成され、他の本体プレートの連結部に対して着脱自在な被連結部を備えている。
【００１０】
また、本考案の玩具は、前記連結部に所定間隔で三個の嵌合突起が形成され、前記被連結部に所定間隔で三個の嵌合凹部が形成されている。
【００１１】
また、本考案の玩具は、前記嵌合突起が、断面円形状の頭部と、該頭部の幅より狭い幅に形成した首部とから構成され、前記嵌合凹部の開口部は、前記首部の幅より広く、前記頭部の幅より狭い幅に形成されている。
【考案の効果】
【００１２】
本考案の玩具は、人物や動物などのキャラクターを模した形状に形成され、又は／及び前記キャラクターが描かれた平板状の本体プレートと、前記本体プレートに設けられ、紐やチェーンなどの吊り下げ具を取り付ける孔又は切り込みからなる吊り下げ部と、前記本体プレートの外周の一部に一又は二以上の嵌合突起又は／及び嵌合凹部を形成した連結部と、を有することにより、キーチェーンやストラップに取り付けられ、キャラクターを模した本体プレート又はキャラクターが描かれた本体プレートからなる玩具において、連結部を介してキャラクター同士やキャラクターと吹き出しなど、同種又は異種のパーツを自在に組み合わせてオリジナリティを持たせることができる効果がある。
【００１３】
また、本考案の玩具は、一又は二以上の嵌合凹部又は／及び嵌合突起が形成されて前記本体プレートの連結部に対して着脱自在な被連結部を備え、吹き出しを模した形状に形成されて台詞を表示した平板状の連結プレートを有することにより、キャラクターが形成された本体プレートに連結プレートを着脱自在に連結することができるから、キャラクターに台詞を表示した吹き出しを交換自在に付加することができる効果がある。
【００１４】
また、本考案の玩具は、前記本体プレートの外周の一部に一又は二以上の嵌合凹部又は／及び嵌合突起が形成され、他の本体プレートの連結部に対して着脱自在な被連結部を備えたことにより、キャラクターが形成された本体プレートを、同じ又は別のキャラクターが形成された他の本体プレートと自在に連結することができる効果がある。
【００１５】
また、本考案の玩具は、前記連結部に所定間隔で三個の嵌合突起が形成され、前記被連結部に所定間隔で三個の嵌合凹部が形成されたことにより、連結部と被連結部との間に捻り方向の力が加えられても容易に外れないように連結することができる効果がある。
【００１６】
また、本考案の玩具は、前記嵌合突起が、断面円形状の頭部と、該頭部の幅より狭い幅に形成した首部とから構成され、前記嵌合凹部の開口部は、前記首部の幅より広く、前記頭部の幅より狭い幅に形成されたことにより、連結部と被連結部との間に引っ張り方向の力が加えられても外れることがないように連結することができる効果がある。
【図面の簡単な説明】
【００１７】
【図１】本考案の玩具の一実施例を示す正面図。
【図２】その玩具を分解した状態を示す正面図。
【図３】その玩具の連結部の詳細を示す正面図。
【考案を実施するための形態】
【００１８】
本考案の実施の形態を図示する実施例に基づいて説明する。
本考案に係る玩具１は、人物や動物などのキャラクター１１を模した形状に形成され、又は／及び前記キャラクター１１が描かれた平板状の本体プレート１０と、前記本体プレート１０に設けられ、紐やチェーンなどの吊り下げ具を取り付ける孔１３又は切り込みからなる吊り下げ部１２と、前記本体プレート１０の外周の一部に、一又は二以上の嵌合突起３１又は／及び嵌合凹部４１を形成した連結部３０と、を有する。
【実施例１】
【００１９】
図１は、本考案の玩具の一実施例を示す正面図である。図２は、その玩具を分解した状態を示す正面図である。図３は、その玩具の連結部の詳細を示す正面図である。
【００２０】
図示の実施例において、本体プレート１０は、キャラクター１１を模した形状に形成された厚さ３ｍｍの平板状のアクリル樹脂からなり、該キャラクター１１が描かれている。キャラクター１１は、小説、漫画、映画、アニメ、コンピュータゲームに登場する人物、動物、ロボットなどであり、擬人化できる物なども含まれる。実施例において、キャラクター１１は、本体プレート１０の表面に印刷されている。キャラクター１１は、本体プレート１０の表面に彫刻したものや、キャラクターが印刷されたシートを本体プレート１０に貼付したりインサートしたりしたもの、本体プレート１０と共に一体成形されたものでもよい。また、本体プレート１０は、透明で耐久性に優れることから、アクリル樹脂で成形していることが好ましいが、他の合成樹脂や金属、木材などで形成してもよい。
【００２１】
吊り下げ部１２は、本体プレート１０の上部に突出して形成された半円弧上の凸部に、チェーンを挿通させるための孔１３が設けられている。また、吊り下げ部１２は、孔１３に代えて紐やチェーンを取り付けることができる切り込みが形成されたものでもよい。
【００２２】
実施例において、連結部３０は、本体プレート１０の外周の一部を直線状に形成し、該直線部に所定間隔で三個の嵌合突起３１を形成している。嵌合突起３１は、断面円形状の頭部３２と、該頭部３２の幅より狭い幅に形成した首部３３と、から構成されている。実施例の嵌合突起３１は、頭部３２の幅（Ｗ１）と首部の幅（Ｗ２）は２：１に形成している。
【００２３】
なお、連結部３０は、図示の実施例に限定されるものではなく、一又は二以上の嵌合突起３１又は嵌合凹部４１を形成したものでもよい。また、連結部３０は、嵌合突起３１と嵌合凹部４１を組み合わせて形成したものでもよい。
【００２４】
実施例において、連結プレート２０は、吹き出し２１の形状に形成された厚さ３ｍｍの平板状のアクリル樹脂からなり、吹き出し２１と共に台詞が描かれている。実施例において、台詞は、連結プレート２０の表面に印刷されている。台詞は、連結プレート２０の表面に彫刻したものや、台詞が印刷されたシートを連結プレート２０に貼付したりインサートしたりしたもの、連結プレート２０と共に一体成形されたものでもよい。また、連結プレート２０は、透明で耐久性に優れることから、アクリル樹脂で成形していることが好ましいが、他の合成樹脂や金属、木材などで形成してもよい。
【００２５】
連結プレート２０には、外周の一部を直線状に形成し、該直線部に所定間隔で三個の嵌合凹部４１を形成した被連結部４０が設けられている。嵌合凹部４１の開口部４２は、連結部３０に形成された嵌合突起３１の首部３３の幅（Ｗ２）より広く、その頭部３２の幅（Ｗ１）より狭い幅に形成されている。
【００２６】
なお、被連結部４０は、図示の実施例に限定されるものではなく、連結部３０に形成された嵌合突起３１又は嵌合凹部４１に嵌め合わせることができる一又は二以上の嵌合凹部４１又は嵌合突起３１を形成したものでもよい。
【００２７】
連結プレート２０に台詞が描かれた実施例において、連結部３０は、本体プレート１０に描かれたキャラクター１１の顔の近傍に形成していることが好ましい。本実施例の玩具１は、異なる台詞が描かれた連結プレート２０を本体プレート１０の連結部３０に着脱自在に連結することにより、キャラクター１１に様々な台詞を組み合わせることができ、オリジナリティを持たせることができる。なお、連結プレート２０は、実施例の構成に限定されるものではなく、様々な形態に形成することができる。
【実施例２】
【００２８】
また、本体プレート１０には、外周の一部を直線状に形成して、該直線部に所定間隔で三個の嵌合凹部４１を形成し、他の本体プレート１０の連結部３０に対して着脱自在な被連結部４０を設けてもよい。第二実施例の玩具１は、キャラクター同士を連結してオリジナリティを持たせることができる。なお、本体プレート１０は、連結部３０に代えて被連結部４０を形成する構成の他、プレートの一方の側面に連結部３０を形成し、他方の側面に被連結部４０を形成してもよい。この場合、キャラクター１１が描かれた本体プレート１０を多数連結したり、キャラクター同士の連結に加えて台詞を連結したりすることができる。
【００２９】
本考案に係る玩具１は、キャラクター同士やキャラクターと吹き出しなど、同種又は異種のパーツを組み合わせ自在に構成したから、オリジナリティを持たせることができる。
【符号の説明】
【００３０】
１  玩具
１０  本体プレート
１１  キャラクター
１２  吊り下げ部
２０  連結プレート
２１  吹き出し
３０  連結部
３１  嵌合突起
４０  被連結部
４１  嵌合凹部
【図１】
0003218396.tif 000003
【図２】
0003218396.tif 000004
【図３】
0003218396.tif 000005